(57)【要約】      （修正有）【課題】室外機の薄型化を図りながら、ファンを回転させるモータの取り付け強度を効果的に向上させることが可能な空気調和機の室外機を提供する。【解決手段】空気調和機の室外機は、筐体２と、筐体２の内側に配置されたファンモータ８と、補強部材１０を備える。筐体２は、側壁に開口部３を有する。ファンモータ８の少なくとも一部は、開口部３において筐体２の内側に配置される。補強部材１０は、開口部３に位置して筐体２とファンモータ８とを連結する。【選択図】図４
2019032090.tif 000002
【特許請求の範囲】
【請求項１】
空気調和機の室外機であって、
筐体と、前記筐体の内側に配置されたファンモータと、補強部材と、を備え、
前記筐体は、前記筐体の側壁に設けられて前記筐体を貫通する開口部、を有し、
前記ファンモータの少なくとも一部は、前記開口部において前記筐体の内側に配置され、
前記補強部材は、前記開口部に位置して前記筐体と前記ファンモータとを連結することを特徴とする空気調和機の室外機。
【請求項２】
前記補強部材が、金属材料で構成される請求項１に記載の空気調和機の室外機。
【請求項３】
前記補強部材が、前記筐体の側壁と同一部材として構成される請求項１に記載の空気調和機の室外機。
【請求項４】
複数の通気孔を有して前記開口部を覆うカバー部を備え、
前記カバー部は、前記筐体の前記開口部の外縁部に対応する部分から前記ファンモータに向かって延びるリブ部を備え、
前記補強部材が前記リブ部に取り付けられる請求項１または請求項２に記載の空気調和機の室外機。
【請求項５】
前記補強部材は、前記カバー部の前記リブ部に対して一体固定される請求項４に記載の空気調和機の室外機。
【請求項６】
前記補強部材は、前記筐体から前記ファンモータに向かって延びる長手方向と交差する断面形状が凹形状を成す請求項１〜請求項５のいずれかに記載の空気調和機の室外機。
【請求項７】
前記ファンモータに給電するリード線を備え、
前記リード線は、前記補強部材の凹形状溝に配線される請求項６に記載の空気調和機の室外機。
【請求項８】
前記補強部材は、前記筐体の複数箇所から前記ファンモータに向かって延びる請求項１〜請求項７のいずれかに記載の空気調和機の室外機。
【請求項９】
複数箇所の前記補強部材が、同一部材として構成される請求項８に記載の空気調和機の室外機。
【請求項１０】
前記補強部材は、前記ファンモータの下方に配置されて前記筐体と前記ファンモータとを連結する請求項１〜請求項９のいずれかに記載の空気調和機の室外機。
【発明の詳細な説明】
【技術分野】
【０００１】
本発明は空気調和機の室外機に関する。
【背景技術】
【０００２】
従来、家屋用の空気調和機としては一般的にヒートポンプ方式が採用され、室外機と室内機とに分かれた分離型（セパレート型）が主流である。屋外に室外機が配置され、屋内には室内機が配置され、家屋の外壁を貫通する冷媒配管で室外機と室内機とが接続される。空気調和機の室外機に係る技術が特許文献１に開示されている。
【０００３】
特許文献１に記載された従来の空気調和機はケーシングと、空気熱交換器と、軸流ファンと、ファンモータと、ファンガードと、を備える。軸流ファンはケーシングの空気の吹き出し口である空気流通口に臨み、ファンモータによって回転される。ファンガードは空気流通口に固定される。そして、ファンモータがファンガードの内面に固定される。ファンモータがファンガードに直接取り付けられることで、別部材から成るモータ取付板を必要とせず、室外機のコストダウンを図ることができる。
【先行技術文献】
【特許文献】
【０００４】
【特許文献１】実開昭６２−１０５４３３号公報
【発明の概要】
【発明が解決しようとする課題】
【０００５】
近年、空気調和機の室外機は一般的に、ファンガードを含むケーシング（筐体）の大部分が合成樹脂で形成されることが多い。合成樹脂で形成されたファンガードに対して、特許文献１に記載された従来の空気調和機の室外機のようにモータを直接取り付けると、比較的大きな負荷がファンガードにかかる虞がある。これにより、ファンガードの経年劣化が促され、ファンガードが破損し易くなるという課題がある。そして、ファンモータ及び軸流ファンが落下して破損する虞があることが懸念される。
【０００６】
本発明は、上記の点に鑑みなされたものであり、室外機の薄型化を図りながら、ファンを回転させるモータの取り付け強度を効果的に向上させることが可能な空気調和機の室外機を提供することを目的とする。
【課題を解決するための手段】
【０００７】
本発明の例示的な空気調和機の室外機は、筐体と、前記筐体の内側に配置されたファンモータと、補強部材と、を備える。前記筐体は、前記筐体の側壁に設けられて前記筐体を貫通する開口部、を有する。前記ファンモータの少なくとも一部は、前記開口部において前記筐体の内側に配置される。前記補強部材は、前記開口部に位置して前記筐体と前記ファンモータとを連結する。
【発明の効果】
【０００８】
例示的な本発明の空気調和機の室外機によれば、筐体の開口部に位置する補強部材で筐体とファンモータとを連結することで、室外機の薄型化を図りながら、ファンモータの取り付け強度を効果的に向上させることができる。
【図面の簡単な説明】
【０００９】
【図１】図１は、本発明の第１実施形態に係る空気調和機の室外機の外観を示す概略斜視図である。
【図２】図２は、本発明の第１実施形態に係る室外機の筐体を取り外した状態を示す概略斜視図である。
【図３】図３は、本発明の第１実施形態に係る室外機の概略正面図である。
【図４】図４は、本発明の第１実施形態に係る室外機のカバー部を取り外した状態を示す概略正面図である。
【図５】図５は、本発明の第１実施形態に係る空気調和機の室外機の第１変形例のカバー部を取り外した状態を示す概略正面図である。
【図６】図６は、本発明の第１実施形態に係る空気調和機の室外機の第２変形例のカバー部を取り外した状態を示す概略正面図である。
【図７】図７は、本発明の第１実施形態に係る空気調和機の室外機の第３変形例のカバー部を取り外した状態を示す概略正面図である。
【図８】図８は、本発明の第２実施形態に係る空気調和機の室外機のカバー部を筐体の内側から見た背面図である。
【図９】図９は、本発明の第２実施形態に係る室外機のカバー部の外縁部を示す部分拡大斜視図である。
【図１０】図１０は、本発明の第２実施形態に係る室外機の補強部材と筐体との連結部を示す部分拡大側面図である。
【図１１】図１１は、本発明の第２実施形態に係る空気調和機の室外機の第１変形例のカバー部を筐体の内側から見た背面図である。
【発明を実施するための形態】
【００１０】
以下、本発明の例示的な実施形態について、図面を参照しながら詳細に説明する。本書では、ファンモータの回転軸線が延びる方向を単に「軸線方向」と呼び、ファンモータの回転軸線を中心とする径方向及び周方向を単に「径方向」及び「周方向」と呼ぶ。室外機の排気側の開口が設けられた一面を室外機の正面とする。室外機の正面の反対側の一面を背面とする。
【００１１】
＜１．第１実施形態＞
＜１−１．空気調和機の室外機の概略構成＞
まず、本発明の例示的な第１実施形態に係る空気調和機の室外機の概略構成について説明する。図１は、本発明の第１実施形態に係る空気調和機の室外機１の外観を示す概略斜視図である。図１に示す室外機１は、不図示の室内機との組み合わせで構成される分離型の空気調和機の室外機である。室外機１は、例えば屋外の床面上に設置される。
【００１２】
室外機１は、開口部３を有する筐体２を備える。筐体２は、矩形箱型に形成される。筐体２は、材料を特に限定する趣旨ではないが、例えば合成樹脂部品と板金部品とで構成される。筐体２は、板金部品としての底板２０を備える。開口部３は、筐体２の正面側の側壁２ａに形成される。開口部３は、側壁２ａを貫通する。開口部３の形状は、特に限定されないが、本実施形態では円形を成す。開口部３は排気口である。筐体２の背面には、不図示の吸気口が設けられる。
【００１３】
室外機１は、複数の通気孔４ａを有して開口部３を覆うカバー部４を備える。カバー部４は、開口部３の形状に対応した円形を成す。円形を成すカバー部４の径方向中心は、同じく円形を成す開口部３の径方向中心と一致する。カバー部４の形状は、円形以外であっても良い。カバー部４は、筐体２とは別部材である。カバー部４は、材料を特に限定する趣旨ではないが、例えば合成樹脂で構成される。カバー部４は、例えばネジ等の固定具を用いて側壁２ａに固定される。なお、カバー部４は、筐体２と同一部材であっても良い。
【００１４】
カバー部４は、詳細には、中央に円板部４０を備える。カバー部４は、円板部４０から
径方向に延びる複数のリブ部４１を備える。カバー部４は、円板部４０の周囲に配置され、周方向に延びる複数のガード部４２を備える。なお、ガード部４２は、ハニカム構造にしても良い。通気孔４ａは、複数のリブ部４１及び複数のガード部４２の間に複数形成される。複数のリブ部４１及び複数のガード部４２は、人の手指が誤って筐体２の内部に入ることを防止する。また、複数のリブ部４１及び複数のガード部４２は、筐体２の外部から、筐体２の内部に異物が混入することを防止することもできる。
【００１５】
図２は、本発明の第１実施形態に係る室外機１の筐体２を取り外した状態を示す概略斜視図である。筐体２の内部には、電源部５、圧縮機６、熱交換器７、ファンモータ８等の構成要素が収納される。
【００１６】
電源部５は、例えば筐体２の内部に設置される支持部２１に支持される。電源部５は、外部の商用電源等から電力供給を受けて、室外機１が動作するために必要な電圧を生成する。電源部５は、不図示の電気回路等を用いて整流、降圧、昇圧等を行って室外機１で用いられる各種電圧を生成する。電源部５は、室外機１の各構成要素に電力を供給する。
【００１７】
圧縮機６は、室外機１の底板２０の上面に設置される。圧縮機６は、冷凍サイクルで用いる冷媒を圧縮し、高温高圧気体の冷媒を生成する。圧縮機６が吐出する冷媒は、冷房運転時には熱交換器７に送られ、暖房運転時には室内機が収容する熱交換器に送られる。
【００１８】
熱交換器７は、室外機１の底板２０の上面に設置される。熱交換器７は、筐体２の背面の吸気口に隣接して配置される。熱交換器７には、冷房運転時に熱交換器７から冷媒が流入し、暖房運転時には室内機の熱交換器から冷媒が流入する。ファンモータ８を駆動すると、外部から吸気口を通って筐体２の内部に吸い込まれた外気が熱交換器７を通過する。熱交換器７は、筐体２の内部に吸い込まれた外気との間で熱交換を行う。
【００１９】
ファンモータ８は、その少なくとも一部が、開口部３において筐体２の内側に配置される。ファンモータ８は、筐体２の正面の開口部３に隣接して設けられる。ファンモータ８は、その回転軸線を略水平にして配置される。ファンモータ８は、プロペラファンと、これを回転させるモータとを組み合わせたものである。ファンモータ８の配置構成に係る詳細は後述する。
【００２０】
その他、室外機１は、不図示の四方弁、膨張弁等の構成要素を備える。四方弁は、冷房運転時、暖房運転時などの異なる運転モードにおいて冷媒の流通方向を切り替えるために設けられる。膨張弁には、開度制御の可能なものが用いられる。
【００２１】
＜１−２．室外機の開口部及びファンモータの周辺の構成＞
続いて、室外機１の開口部３及びファンモータ８の周辺の詳細な構成について説明する。図３は、本発明の第１実施形態に係る室外機１の概略正面図である。図４は、本発明の第１実施形態に係る室外機１のカバー部４を取り外した状態を示す概略正面図である。
【００２２】
ファンモータ８は、開口部３と対向して筐体２の内側に配置される。ファンモータ８は、その中心軸線が各々円形を成す開口部３及びカバー部４の径方向中心と一致する。
【００２３】
室外機１は、補強部材１０を備える。補強部材１０は、開口部３に位置して筐体２とファンモータ８とを連結する。補強部材１０は、筐体２の側壁２ａの外面に沿って開口部３に隣接して配置される。なお、補強部材１０は、筐体２の側壁２ａの内面に沿って開口部３に隣接して配置されることとしても良い。補強部材１０は、金属材料で構成される。なお、補強部材１０は、金属以外の材料で構成されることとしても良い。
【００２４】
補強部材１０は、筐体２の複数箇所からファンモータ８に向かって延びる。補強部材１０は、例えばファンモータ８の周方向に沿って９０度の等角度間隔で４箇所設けられる。なお、補強部材１０は、４箇所に限定されるわけでなく、３箇所以下、或いは５箇所以上に設けられることにしても良い。さらに、補強部材１０は、周方向に不等な角度間隔で設けられることにしても良い。
【００２５】
補強部材１０は、ファンモータ８の径方向に沿って延びる直方体形状（棒状）を成す。補強部材１０は、一端が開口部３の外縁部３ａに接続され、他端がファンモータ８に接続される。なお、補強部材１０の筐体２側の一端は、さらに径方向外側に延長させ、開口部３の外縁部３ａから離隔させても良い。補強部材１０は、例えばネジ等の固定具を用いて開口部３の外縁部３ａ及びファンモータ８に固定される。
【００２６】
本実施形態の室外機１の構成によれば、補強部材１０でファンモータ８と筐体２とを連結するので、ファンモータ８の取り付け強度を効果的に向上させることができる。さらに、補強部材１０が開口部３に位置するので、室外機１の薄型化を図ることが可能である。
【００２７】
また、補強部材１０が金属材料で構成されるので、ファンモータ８の取り付け強度をより一層向上させることができる。
【００２８】
また、補強部材１１が筐体２の開口部３の外縁部３ａの複数箇所からファンモータ８に向かって延びるので、ファンモータ８を複数箇所の補強部材１０で支持することが可能である。これにより、補強部材１０にかかる負荷を分散させることができる。
【００２９】
＜１−３．第１実施形態の室外機１の第１変形例＞
続いて、第１実施形態の室外機１の第１変形例について説明する。図５は、本発明の第１実施形態に係る室外機１の第１変形例のカバー部を取り外した状態を示す概略正面図である。
【００３０】
本実施形態の室外機１の第１変形例は、補強部材１１を備える。補強部材１１は、筐体２の側壁２ａと同一部材として構成される。補強部材１１は、筐体２の開口部３の外縁部３ａから円形を成す開口部３の径方向内側に向かって突出して延びる。補強部材１１は、その先端部でファンモータ８に接続される。
【００３１】
この構成によれば、室外機１の部品点数及び組み立て工数の低減を図ることができる。したがって、室外機１の薄型化及びファンモータ８の取り付け強度の向上に加えて、低コスト化を図ることが可能である。
【００３２】
＜１−４．第１実施形態の室外機１の第２変形例＞
続いて、第１実施形態の室外機１の第２変形例について説明する。図６は、本発明の第１実施形態に係る室外機１の第２変形例のカバー部を取り外した状態を示す概略正面図である。
【００３３】
本実施形態の室外機１の第２変形例は、補強部材１２を備える。補強部材１２は、筐体２の開口部３の外縁部３ａの４箇所からファンモータ８に向かってファンモータ８の径方向に沿って延びる。４箇所の補強部材１２は、十字形状を成す。４箇所の補強部材１４が、同一部材として構成される。
【００３４】
なお、同一部材として構成される補強部材１２は、２箇所、或いは３箇所の補強部材１２であることとしても良い。２箇所の補強部材１２が同一部材として構成される場合、補強部材１２は、例えばＬ字形状、Ｖ字形状、或いは開口部３の直径にわたって延びる直線
状を成す。３箇所の補強部材１２が同一部材として構成される場合、補強部材１２は、例えばＴ字状を成す。
【００３５】
さらに、上記補強部材１２に加えて、リング状を成す補強部材を用いても良い。このリング状を成す補強部材は、その中心が開口部３及びファンモータ８の中心と一致させて配置される。このリング状を成す補強部材は、補強部材１２に対して別個の部材としても良いし、補強部材１２と同一部材としても良い。
【００３６】
複数箇所の補強部材１２が同一部材として構成されるので、補強部材１２自体の強度を高めることができる。さらに、室外機１の部品点数及び組み立て工数の低減を図ることが可能になる。
【００３７】
＜１−５．第１実施形態の室外機１の第３変形例＞
続いて、第１実施形態の室外機１の第３変形例について説明する。図７は、本発明の第１実施形態に係る室外機１の第３変形例のカバー部を取り外した状態を示す概略正面図である。
【００３８】
本実施形態の室外機１の第３変形例は、補強部材１３を備える。補強部材１３は、ファンモータ８の下方に配置されて筐体２とファンモータ８とを連結する。具体的に言えば、補強部材１３は、上下方向に延び、筐体２の底板２０とファンモータ８とを連結する。補強部材１３は、下端が底板２０に接続され、上端がファンモータ８に接続される。これにより、下方からファンモータ８を支持することができる。
【００３９】
＜２．第２実施形態＞
＜２−１．室外機のカバー部の周辺の構成＞
次に、本発明の例示的な第２実施形態の空気調和機の室外機について説明する。図８は、本発明の第２実施形態に係る空気調和機の室外機１のカバー部４を筐体２の内側から見た背面図である。図９は、本発明の第２実施形態に係る室外機１のカバー部４の外縁部を示す部分拡大斜視図である。なお、この実施形態の基本的な構成は先に説明した第１実施形態と同じであるので、第１実施形態と共通する構成要素には前と同じ符号または同じ名称を付してその説明を省略する場合がある。
【００４０】
カバー部４は、リブ部４１を備える。リブ部４１は、筐体２の開口部３の外縁部３ａに対応する部分からファンモータ８に向かって延びる。すなわち、リブ部４１は、正面視円形を成すカバー部４の径方向外縁部から円板部４０に向かって延びる。
【００４１】
円板部４０には、ファンモータ８が取り付けられる。ファンモータ８を円板部４０に取り付けることで、室外機１全体のサイズを薄くすることができる。なお、円板部４０に対応するカバー部４の径方向中央部は、円形に限定されるわけではない。
【００４２】
リブ部４１は、例えばカバー部４の周方向に沿って９０度の等角度間隔で４箇所設けられる。なお、リブ部４１は、４箇所に限定されるわけでなく、３箇所以下、或いは５箇所以上に設けられることにしても良い。さらに、リブ部４１は、周方向に不等な角度間隔で設けられることにしても良い。
【００４３】
補強部材１４は、リブ部４１に取り付けられる。具体的に言えば、補強部材１４は、リブ部４１に形成された凹部４１ａに取り付けられる。凹部４１ａは、リブ部４１の長手方向に沿ってカバー部４の径方向外縁部から円板部４０に向かって延びる。凹部４１ａは、ファンモータ８の軸線方向（図８の紙面奥行き方向）に沿って窪む。補強部材１４は、凹部４１ａに対してカバー部４の径方向外縁部から径方向中央部に向かって差し込んで挿入
しても良い。なお、リブ部４１に対するこの補強部材１４の取り付け構造は一例であって、他の取り付け構造を成していても良い。補強部材１４が凹部４１ａに収納されるので、補強部材１４がファンモータ８に干渉することを防止することができる。
【００４４】
補強部材１４は、カバー部４の径方向外縁部においてリブ部４１に収まり、リブ部４１から径方向外側に突出することはない。一方、補強部材１４は、カバー部４の径方向中央側においてリブ部４１から径方向内側に突出し、円板部４０の中心に向かって延びる。
【００４５】
補強部材１４は、カバー部４の径方向中央側の一端でファンモータ８に接続される。また、補強部材１４は、カバー部４の径方向外縁側の一端で筐体２の開口部３の外縁部３ａに接続される。補強部材１４の長手方向の両端部には、カバー部４とともに軸線方向に貫通する穴部１４ａが設けられる。
【００４６】
図１０は、本発明の第２実施形態に係る室外機１の補強部材１４と筐体２との連結部を示す部分拡大側面図である。開口部３の外縁部３ａにおいて、補強部材１４と、筐体２とは、カバー部４の外側から穴部１４ａに挿入されるネジ１５で連結される。補強部材１４でネジ１５を受け、補強部材１４で筐体２を受ける。なお、図示しないが、補強部材１４とファンモータ８との連結部においても同様に、補強部材１４でネジ１５を受け、補強部材１４でファンモータ８を受ける。
【００４７】
ここで仮に、補強部材１４と、ネジ１５との間に、合成樹脂が入り込んだ場合、その合成樹脂が経年劣化によって脱落する虞がある。これにより、補強部材１４と、ネジ１５との間に空間ができ、ネジ１５が筐体２から外れ易くなる。上記の本実施形態の構成によれば、補強部材１４と、ネジ１５との間に、合成樹脂が入り込むことを抑制することができる。したがって、合成樹脂が劣化して外れたとしても、ファンモータ８は落下しない。
【００４８】
補強部材１４は、筐体２からファンモータ８に向かって延びる長手方向と交差する断面形状が凹形状を成す。すなわち、補強部材１４は、凹形状溝１４ｂを有する。凹形状溝１４ｂの内側は、空間を成す。凹形状溝１４ｂの内側には、カバー部４を構成する合成樹脂を充填することもできる。
【００４９】
また、補強部材１４は、カバー部４のリブ部４１に対して一体固定されることにしても良い。すなわち、補強部材１４は、リブ部４１に一体として成形される。リブ部４１への補強部材４１の一体成形は、合成樹脂から成るカバー部４のリブ部４１に対してインサート成形を利用することができる。この場合の補強部材１４の、ファンモータ８及び開口部３の外縁部３ａとの接続方法は、上記と同様である。
【００５０】
上記構成のように、空気調和機の室外機１は複数の通気孔４ａを有して開口部３を覆うカバー部４と、カバー部４に設けられて筐体２の開口部３の外縁部３ａに対応する部分からファンモータ８に向かってファンモータ８の径方向に沿って延びるリブ部４１と、を備える。そして、補強部材１４がリブ部４１に取り付けられる。
【００５１】
本実施形態の室外機１の構成によれば、補強部材１４がリブ部４１に取り付けられるので、リブ部４１自体の強度を高めることができる。さらに、そのリブ部４１でカバー部４全体の強度を高めることが可能である。また、リブ部４１と補強部材１４とを重ねることができ、排気口である開口部３におけるファンモータ８によって生成した気流の流通経路の狭小を回避することが可能である。
【００５２】
また、補強部材１４はその長手方向と交差する断面形状が凹形状を成すので、補強部材１４自体の強度を高めることができる。したがって、筐体２に対するファンモータ８の取
り付け強度の向上を図ることが可能である。さらに、補強部材１４の構成によれば、材料の使用量の低減を図ることができる。したがって、室外機１の低コスト化を図ることが可能である。
【００５３】
また、補強部材１４がカバー部４のリブ部４１に対して一体固定されるので、カバー部４の成形と同時に補強部材１４をカバー部４に組み付けることができる。したがって、組み立て工数の低減を図ることができる。
【００５４】
＜２−２．第２実施形態の室外機１の第１変形例＞
続いて、第２実施形態の室外機１の第１変形例について説明する。図１１は、本発明の第２実施形態に係る空気調和機の室外機の第１変形例のカバー部を筐体の内側から見た背面図である。
【００５５】
本実施形態の室外機１の第１変形例は、室外機１が、ファンモータ８に給電するリード線８ａを備える。リード線８ａは、一端がファンモータ８に電気的に接続され、他端が電源部５に電気的に接続される。リード線８ａは、補強部材１４の凹形状溝１４ｂに配線される。
【００５６】
リード線８ａは、凹形状溝１４ｂの長手方向両端側において凹形状溝１４ｂの外部に向かって延びる。リード線８ａの凹形状溝１４ｂの外部に向かって延びた部分は、意図せず揺れ動くことを防止するために、不図示の固定具等により筐体２などに固定される。
【００５７】
この構成によれば、リード線８ａが補強部材１４の凹形状溝１４ｂに配線されるので、リード線８ａの配線が煩雑になることを防止することができる。また、リード線８ａが開口部３を跨ぐことに起因する開口部３における気流の流通経路の狭小を回避することが可能である。さらに、リード線８ａがファンモータ８のプロペラファンに接触することを防止することができる。
【００５８】
＜３．その他＞
【００５９】
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【００６０】
例えば、第１実施形態の補強部材１０は、長手方向と交差する断面形状が凹形状を成すこととしても良い。
【００６１】
また、補強部材の構成は、直方体形状（棒状）、また長手方向と交差する断面形状が凹形状であることに限定されるわけではない。例えば、補強部材を、円筒形状、角筒形状で形成しても良い。さらに例えば、補強部材の長手方向と交差する断面形状を、Ｈ字形状、Ｉ字形状、Ｌ字形状にしても良い。
【産業上の利用可能性】
【００６２】
本発明は、例えば空気調和機の室外機において利用可能である。
【符号の説明】
【００６３】
１・・・室外機、２・・・筐体、２ａ・・・側壁、３・・・開口部、３ａ・・・外縁部、４・・・カバー部、５・・・電源部、６・・・圧縮機、７・・・熱交換器、８・・・ファンモータ、８ａ・・・リード線、１０、１１、１２、１３、１４・・・補強部材、１４ａ・・・穴部、１４ｂ・・・凹形状溝、１５・・・ネジ、２０・・・底板、２１・・・支持
部、４０・・・円板部、４１・・・リブ部、４１ａ・・・凹部、４２・・・ガード部
【図１】
2019032090.tif 000003
【図２】
2019032090.tif 000004
【図３】
2019032090.tif 000005
【図４】
2019032090.tif 000006
【図５】
2019032090.tif 000007
【図６】
2019032090.tif 000008
【図７】
2019032090.tif 000009
【図８】
2019032090.tif 000010
【図９】
2019032090.tif 000011
【図１０】
2019032090.tif 000012
【図１１】
2019032090.tif 000013